(57)【特許請求の範囲】
【請求項１】
対向配置されるデスクの間に配置されあるいはデスクに隣接して配置され、前記デスクの上面と同一面を有し、前記デスク上に置かれる機器用のケーブルが内部を通るケーブル配線用センターコアであって、
前後に離間した２点で接地する下脚と、この下脚の前後方向中央に立設される脚柱と、この脚柱の上端に固定され前記下脚の前後方向幅と略等長で上面部材を支持するための受部材とで構成された左右一対の脚を設け、
これら脚の脚柱の少なくとも上下の２位置間をフレームで結合してなり、横方向への通線時には前記脚柱の側面にケーブルをそわせて通線し、上下方向への通線時には前記フレームの側面にケーブルをそわせて通線し得るようにした
ことを特徴とするケーブル配線用センターコア。
【請求項２】
前記上部のフレームの中央位置に中間受部材が固設され、この中間受部材と前記両端の受部材との間に蓋により開閉される通線孔および弾性体の衝き合わせで構成される通線部を有する上面部材が掛け渡しにより着脱可能に取付けられている請求項１記載のケーブル配線用センターコア。
【請求項３】
前記フレームに配線用トレーまたはフックを取付け得るようにされている請求項１または２記載のケーブル配線用センターコア。
【発明の詳細な説明】
【０００１】
【発明の属する技術分野】
本発明は、オフィス等において例えば相対向して配置されるデスク間に介在設置し、主としてＯＡ機器類のケーブル配線用として使用されるセンターコアに関する。
【０００２】
【従来の技術】
最近のオフィスにおいては、向き合わせて配置された通常の事務用デスクの上面でＯＡ機器を使用することが日常の業務として頻繁に行なわれるようになっている。
【０００３】
このように一般のデスク上でＯＡ機器を使用する場合、その電源コードをはじめ多数の配線の引き回しが必要となり、そのためデスクの周辺にケーブル類が集中して繁雑化し、オフィスの景観を損うばかりでなく業務の邪魔になることが生じる。
【０００４】
このようなことを避けるため、近時では対向配置されるデスク間に通線用の枠体（センターコアという）をデスク上面と同一面になるように配置し、このセンターコア内にケーブルを通してデスクの上面に導くとともに、コンセントや各種小機器類をセンターコア内のトレー上に置くようにしてデスク周りに配線が錯綜することがないようにされている。これはデスクが横方向へも多数列設される場合に各デスクに対しての配線が各対向するデスク間のセンターコア内を通じて行なえるので特に有効である。
【０００５】
ところで従来のセンターコアは、図１０、図１１に示すように、センターコア１の前後方向の幅に相当する間隔をおいて立設される等長２本の脚柱２，２間を通線用窓孔３，３を有する孔あきパネル４で結合した左右の脚体５，５を有し、これら脚体５，５の前記脚柱２，２間を前後一対のフレーム６，６で結合し、上面に蓋７，８により開閉される所要数の通線孔９，１０が形成され、前記フレーム６，６にはケーブル１１やコンセント類を載置するトレー１２，１２がフレーム６，６に跨がるよう着脱自在に設けられた構成とされている。
【０００６】
そして複数のセンターコア１が横並び状に配列される場合の通線は、図１０に示すように左右端の脚体５，５の孔あきパネル４，４の通線用窓孔３，３にケーブル１１を通して導くようにされ、また床からケーブル１１を配線する場合は、図１１に示すように前後のフレーム６，６の間を通して上面の通線孔９または１０からデスク上に導くようになされている。
【０００７】
【発明が解決しようとする課題】
しかして上記従来のセンターコアの構造では、列設されるセンターコア１内にケーブルを通して配線するとき、各センターコア１の端部の脚体５，５に孔あきパネル４，４により構成されている通線用窓孔３，３にいちいち通さなければならなず、また床からセンターコア１の上面に導くときも両端の脚柱２，２の間を継ぐ前後のフレーム６，６間を通して上面の通線孔９または１０へ通さなければならず、これらによりケーブル１１の配線作業に著しく手間どり、作業能率がきわめて悪いという問題があった。
【０００８】
本発明は、配線作業を容易とし、作業能率の向上を図ることができるとともに構造を簡素化することができ、低コストで得ることができるケーブル配線用センターコアを提供することを課題としてなされたものである。
【０００９】
【課題を解決するための手段】
上記課題を解決するための本発明は、対向配置されるデスクの間に配置されあるいはデスクに隣接して配置され、前記デスクの上面と同一面を有し、前記デスク上に置かれる機器用のケーブルが内部を通るケーブル配線用センターコアであって、前後に離間した２点で接地する下脚と、この下脚の前後方向中央に立設される脚柱と、この脚柱の上端に固定され前記下脚の前後方向幅と略等長で上面部材を支持するための受部材とで構成された左右一対の脚を設け、これら脚の脚柱の少なくとも上下の２位置間をフレームで結合してなり、横方向への通線時には前記脚柱の側面にケーブルをそわせて通線し、上下方向への通線時には前記フレームの側面にケーブルをそわせて通線し得るようにしたことにある。
【００１０】
こうしたことから、センターコアの前後面がデスクまたはパネルで覆われても、通線時には脚の脚柱の側面上下方向全域、またはフレームの側面にそわせてケーブルを通すことができ、いちいち孔に通すような煩わしい作業が不要となる。また脚柱およびフレームは各１本ずつで構成されるので、部品点数が少なくてすみ、コストの低減を図ることができるとともに軽量化に寄与することができ、メンテナンスも容易となる。
【００１１】
【発明の実施の形態】
以下、本発明を図面に示す実施の形態を参照し、図１０、図１１と共通する部材にはこれと同一符号を用いて説明する。
【００１２】
図１は本発明によるケーブル配線用センターコア２０の一実施形態の外観斜視図を示し、図２は上面部材２１，２１を取外した状態でかつケーブル１１を横方向に配線する状況を、図３はケーブル１１を上下方向に配線する状況をそれぞれ分解斜視図で示している。
【００１３】
上記センターコア２０の左右の端部を構成する脚２２，２２は、前後に離間した２点で接地し床面配線等を跨げるように正面視下向きコ字状をなすように形成された下脚２３と、この下脚２３の前後方向中央に立設される１本の型材からなる脚柱２４と、この脚柱２４の上端に固設され前記下脚２３の前後方向長さと略等長で前記上面部材２１の端部を支持する受部材２５とで構成されている。
【００１４】
前記左右の脚２２，２２の脚柱２４，２４の上端部および下端部間は、同じく型材からなる各１本のフレーム２６，２７により結合され、これにより左右の脚２２，２２の外側面間の寸法がデスク２８の横幅と略等しくされている。
【００１５】
前記上部のフレーム２６の左右方向中央位置には中間受部材２９が固設されている。
【００１６】
前記脚２２，２２の上端の受部材２５，２５は側面視Ｌ形状をなし、中間受部材２９は側面視逆Ｔ字状をなしていてこれらの段部２５ａ，２９ａが向き合うように構成され、これら段部２５ａ，２９ａ間に上面部材２１，２１がいずれの向きにでも載置することができるようになっている。
【００１７】
前記上面部材２１は中央の受部材２９を間にして片側２枚ずつ設けられるもので、各上面部材２１には従来と同様に小さい蓋３０により開閉される通線孔が設けられているとともに、長手方向一側縁にそってゴム材、柔軟な合成樹脂材等からなる帯状の弾性体３１が固着されている。この弾性体３１は、具体的には図５、図７にみられるように偏平中空状に形成され、通線時に撓みやすくされている。
【００１８】
したがってセンターコア２０をデスク間に配設する場合には図４、図５のように各上面部材２１，２１…の弾性体３１，３１が向き合うようにして上面部材２１を受部材２５，２９間に載装するようにし、その向き合った弾性体３１，３１の間がケーブルを通す通線部とされ、センターコア２０の前後方向中央に目隠しとなる衝立用のパネル３６を設立したり、あるいは使用する機器の置き場所等によっては図６、図７のように上面部材２１を１８０°転回してデスク２８とセンターコア２０との間に弾性体３１が位置するようにしてデスク２８と弾性体３１との間に通線する通線部とすることができる。
【００１９】
前記フレーム２６，２７の上面には、前後縁に立上片３３ａ，３３ａを有する平面視矩形状のトレー３３，３３が所要数取付けられている。このトレー３３は下面に突設された前後の脚片３３ｂでフレーム２６，２７に嵌合させ、スライドおよび着脱ができるようにすることが好ましい。なお、このトレーに代えて、フレーム２６，２７に掛止してケーブルを係合するフック３２を用いる場合もある。
【００２０】
上記センターコア２０を相対向するデスク２８，２８間に介在させて設置する場合でデスクが横方向には並べられないときは、図８のように端面パネル３４，３４をセンターコア１の両端の脚２２，２２の外側面に取付けて体裁を整える。またデスク間でなくセンターコア２０の側面が露出する場合は、側面パネル３５，３５を脚２２，２２の下脚２３，２３および受部材２５，２５の各前後端面に取付けることによりカバーする。
【００２１】
したがって本発明によるセンターコア２０を相対向して設置されるデスク２８，２８間に挟在させたとき、脚２２，２２の脚柱２４，２４の両側は上下方向全域にわたって開放された状態におかれ、多数横並び状に列設された場合でもケーブル１１を通すことがきわめて容易に行なえ、孔に通すような煩わしい作業は一切必要がない。
【００２２】
また床からデスク上にケーブル１１を導く場合も、フレーム２６，２７の側面にそって通せばよく、それぞれ作業を簡単に行なうことができる。
【００２３】
図４、図６における符号３６は、センターコア２０の上面に立設して、相対向するデスク間の目隠しとする衝立用のパネルを示し、図４はパネル３６をセンターコア２０の長手方向中央位置に、図６は一側寄りの位置に立設する場合を示している。
【００２４】
このパネル３６の取付けには、図９に片側のみを拡大して一部を断面として示すように、側面視クランク状に折曲形成された支持部片３７の下端が端部に位置する受部材２５の段部２５ａの垂直面２５ｂにビス等により固定され、この支持部片３７の立上げ片３７ａが受部材２５の垂直な外側面と略同一面をなして立上げられるように取付けられ、この立上げ片３７ａをパネル３６の端部に形成された挿入孔３６ａに差込むことによりパネル３６を垂直姿勢に支持するようになされている。
【００２５】
この場合、支持部片３７の水平部３７ｂと受部材２５の上面との間に若干の間隔が形成されるようになっており、パネル３６の下端とセンターコア２０の上面部材２１の上面との間に通線可能な隙間ができるようになっている。
【００２６】
したがってセンターコア２０の使用態様に応じパネル３６で仕切ることができ、デスクでの作業環境を整えることができる。
【００２７】
【発明の効果】
以上説明したように本発明によれば、相対向するデスク間に設置される場合はもとよりそうでない場合においても、ケーブルの配線時にケーブルを通線孔やフレーム間の隙間に通すような煩わしい作業が不要であり、配線作業を容易かつ高能率に行なうことができるうえ、メンテナンス時の作業も容易にすることができる。
【００２８】
特に通線時にはケーブルを孔に通さずに配線することができるので、例えばデスク上に既にパソコン等の機器が設置されている場合にその機器の配線を接続したままでもセンターコアの設置が可能であり、その設置作業を容易とすることができる。
【００２９】
また副次的効果として、両端に位置する脚およびこれら脚を継ぐフレームはいずれも単一の棒状部材で構成していることにより、使用している部材数が少なく、そのため著しく安価にでき、かつ軽量化を図ることができる。
【００３０】
さらに前後面をパネルでカバーする構成としても、脚柱の両側が上下方向に長くあくことになるので、ケーブルの通線に支障をきたすことがない。
【図面の簡単な説明】
【図１】本発明によるケーブル配線用センターコアの一実施形態を示す斜視図。
【図２】同、ケーブルを横方向に配線する状況を示す分解斜視図。
【図３】同、ケーブルを上下方向に配線する状況を示す分解斜視図。
【図４】センターコアに衝立用パネルを取付ける場合の形態を示す斜視図。
【図５】上面部材の弾性体を向き合わせて配置した状態を示す断面図。
【図６】衝立用パネルの取付位置の変形例を示す斜視図。
【図７】上面部材の弾性体を外側にして配置した状態を示す断面図。
【図８】センターコアに端面パネルおよび側面パネルを取付ける状態を示す斜視図。
【図９】図４、図６の衝立用パネルの取付手段の一例を示す拡大断面図。
【図１０】従来の技術を示し、ケーブルを横方向に配線する状況を示す斜視図。
【図１１】同、ケーブルを上下方向に配線する状況を示す斜視図。
【符号の説明】
１，２０  ケーブル配線用センターコア
１１  ケーブル
２１  上面部材
２２  脚
２３  下脚
２４  脚柱
２５  受部材
２６，２７  フレーム
２８  デスク
２９  中間受部材
３１  弾性体
３３  トレー
３４  端面パネル
３５  側面パネル
３６  衝立用パネル
３７  支持部片
【図１】
0004056644.tif 000002
【図２】
0004056644.tif 000003
【図３】
0004056644.tif 000004
【図４】
0004056644.tif 000005
【図５】
0004056644.tif 000006
【図６】
0004056644.tif 000007
【図７】
0004056644.tif 000008
【図８】
0004056644.tif 000009
【図９】
0004056644.tif 000010
【図１０】
0004056644.tif 000011
【図１１】
0004056644.tif 000012